【手続補正書】
【提出日】平成26年6月19日(2014.6.19)
【手続補正１】
【補正対象書類名】特許請求の範囲
【補正対象項目名】全文
【補正方法】変更
【補正の内容】
【特許請求の範囲】
【請求項１】
仮想の中心軸を中心に所定の回転方向で回転する回転軸部と、
前記回転軸部の外表面から前記中心軸の半径方向外側に延出する翼と、を備え、
前記翼は、
前記翼および前記回転軸部の前記外表面の間に配置される翼根部と、
前記翼根部に連続し、前記翼根部とともに前記翼の周縁を形成する周縁部と、
前記翼根部および前記周縁部に囲まれた領域に形成される翼面と、を含み、
前記周縁部は、
前記回転方向の上流側に配置される前縁部と、
前記前縁部の前記半径方向外側に配置される翼先端部と、
前記回転方向の下流側に配置される後縁部と、
前記後縁部の前記半径方向外側に配置される翼後端部と、
前記中心軸の周方向に延び、前記翼先端部と前記翼後端部との間を接続する外縁部と、を有し、
前記翼面は、
前記翼根部を含み前記半径方向内側に位置する内側領域と、
前記翼後端部を含み前記半径方向外側に位置する外側領域と、
前記前縁部、前記翼先端部または前記外縁部寄りに位置する前端部から前記後縁部寄りに位置する後端部まで延在し、前記翼面の正圧面側が凸となり前記翼面の負圧面側が凹となるように前記内側領域と前記外側領域とを連結する連結部と、を有し、
前記翼面は、前記翼面のうちの前記連結部よりも前記半径方向外側の部分の食い違い角よりも、前記翼面のうちの前記連結部よりも前記半径方向内側の部分の食い違い角の方が小さくなるように形成され、
前記回転方向における前記連結部の中心位置を通り且つ前記中心軸を中心とする仮想の同心円を描いた場合に、前記連結部の前記前端部は前記同心円の前記半径方向外側に位置し、前記連結部の前記後端部は前記同心円の前記半径方向内側に位置する、
プロペラファン。
【請求項２】
仮想の中心軸を中心に所定の回転方向で回転する回転軸部と、
前記回転軸部の外表面から前記中心軸の半径方向外側に延出する翼と、を備え、
前記翼は、
前記翼および前記回転軸部の前記外表面の間に配置される翼根部と、
前記翼根部に連続し、前記翼根部とともに前記翼の周縁を形成する周縁部と、
前記翼根部および前記周縁部に囲まれた領域に形成される翼面と、を含み、
前記周縁部は、
前記回転方向の上流側に配置される前縁部と、
前記前縁部の前記半径方向外側に配置される翼先端部と、
前記回転方向の下流側に配置される後縁部と、
前記後縁部の前記半径方向外側に配置される翼後端部と、
前記中心軸の周方向に延び、前記翼先端部と前記翼後端部との間を接続する外縁部と、を有し、
前記翼面は、
前記翼根部を含み前記半径方向内側に位置する内側領域と、
前記翼後端部を含み前記半径方向外側に位置する外側領域と、
前記前縁部、前記翼先端部または前記外縁部寄りに位置する前端部から前記後縁部寄りに位置する後端部まで延在し、前記翼面の正圧面側が凸となり前記翼面の負圧面側が凹となるように前記内側領域と前記外側領域とを連結する連結部と、を有し、
前記翼面は、前記翼面のうちの前記連結部よりも前記半径方向外側の部分の食い違い角よりも、前記翼面のうちの前記連結部よりも前記半径方向内側の部分の食い違い角の方が小さくなるように形成され、
前記連結部は、前記連結部の前記負圧面側に形成される内角が、前記回転方向における前記連結部の中心付近で最も小さくなるように形成され、
前記前端部および前記後端部の各々の周囲に位置する前記翼面は、前記前端部および前記後端部の各々を通り前記半径方向に沿った断面視において１８０°となるように形成される、
プロペラファン。
【請求項３】
仮想の中心軸を中心に所定の回転方向で回転する回転軸部と、
前記回転軸部の外表面から前記中心軸の半径方向外側に延出する翼と、を備え、
前記翼は、
前記翼および前記回転軸部の前記外表面の間に配置される翼根部と、
前記翼根部に連続し、前記翼根部とともに前記翼の周縁を形成する周縁部と、
前記翼根部および前記周縁部に囲まれた領域に形成される翼面と、を含み、
前記周縁部は、
前記回転方向の上流側に配置される前縁部と、
前記前縁部の前記半径方向外側に配置される翼先端部と、
前記回転方向の下流側に配置される後縁部と、
前記後縁部の前記半径方向外側に配置される翼後端部と、
前記中心軸の周方向に延び、前記翼先端部と前記翼後端部との間を接続する外縁部と、を有し、
前記翼面は、
前記翼根部を含み前記半径方向内側に位置する内側領域と、
前記翼後端部を含み前記半径方向外側に位置する外側領域と、
前記前縁部、前記翼先端部または前記外縁部寄りに位置する前端部から前記後縁部寄りに位置する後端部まで延在し、前記翼面の正圧面側が凸となり前記翼面の負圧面側が凹となるように前記内側領域と前記外側領域とを連結する連結部と、を有し、
前記翼面は、前記翼面のうちの前記連結部よりも前記半径方向外側の部分の食い違い角よりも、前記翼面のうちの前記連結部よりも前記半径方向内側の部分の食い違い角の方が小さくなるように形成され、
前記前縁部から前記外縁部の前記翼先端部寄りの部分までの領域は、前記中心軸の軸方向において一定の高さを有する、
プロペラファン。
【請求項４】
仮想の中心軸を中心に所定の回転方向で回転する回転軸部と、
前記回転軸部の外表面から前記中心軸の半径方向外側に延出する翼と、を備え、
前記翼は、
前記翼および前記回転軸部の前記外表面の間に配置される翼根部と、
前記翼根部に連続し、前記翼根部とともに前記翼の周縁を形成する周縁部と、
前記翼根部および前記周縁部に囲まれた領域に形成される翼面と、を含み、
前記周縁部は、
前記回転方向の上流側に配置される前縁部と、
前記前縁部の前記半径方向外側に配置される翼先端部と、
前記回転方向の下流側に配置される後縁部と、
前記後縁部の前記半径方向外側に配置される翼後端部と、
前記中心軸の周方向に延び、前記翼先端部と前記翼後端部との間を接続する外縁部と、を有し、
前記翼面は、
前記翼根部を含み前記半径方向内側に位置する内側領域と、
前記翼後端部を含み前記半径方向外側に位置する外側領域と、
前記前縁部、前記翼先端部または前記外縁部寄りに位置する前端部から前記後縁部寄りに位置する後端部まで延在し、前記翼面の正圧面側が凸となり前記翼面の負圧面側が凹となるように前記内側領域と前記外側領域とを連結する連結部と、を有し、
前記翼面は、前記翼面のうちの前記連結部よりも前記半径方向外側の部分の食い違い角よりも、前記翼面のうちの前記連結部よりも前記半径方向内側の部分の食い違い角の方が小さくなるように形成され、
前記前縁部は、前記回転軸部と前記回転軸部から前記半径方向外側に離れた位置との間で、前記中心軸の軸方向において一定の高さを有する、
プロペラファン。
【請求項５】
仮想の中心軸を中心に所定の回転方向で回転する回転軸部と、
前記回転軸部の外表面から前記中心軸の半径方向外側に延出する翼と、を備え、
前記翼は、
前記翼および前記回転軸部の前記外表面の間に配置される翼根部と、
前記翼根部に連続し、前記翼根部とともに前記翼の周縁を形成する周縁部と、
前記翼根部および前記周縁部に囲まれた領域に形成される翼面と、を含み、
前記周縁部は、
前記回転方向の上流側に配置される前縁部と、
前記前縁部の前記半径方向外側に配置される翼先端部と、
前記回転方向の下流側に配置される後縁部と、
前記後縁部の前記半径方向外側に配置される翼後端部と、
前記中心軸の周方向に延び、前記翼先端部と前記翼後端部との間を接続する外縁部と、を有し、
前記翼面は、
前記翼根部を含み前記半径方向内側に位置する内側領域と、
前記翼後端部を含み前記半径方向外側に位置する外側領域と、
前記前縁部、前記翼先端部または前記外縁部寄りに位置する前端部から前記後縁部寄りに位置する後端部まで延在し、前記翼面の正圧面側が凸となり前記翼面の負圧面側が凹となるように前記内側領域と前記外側領域とを連結する連結部と、を有し、
前記翼面は、前記翼面のうちの前記連結部よりも前記半径方向外側の部分の食い違い角よりも、前記翼面のうちの前記連結部よりも前記半径方向内側の部分の食い違い角の方が小さくなるように形成され、
前記翼面の前記翼根部は、前記翼面の前記正圧面側が凸となり前記翼面の前記負圧面側が凹となるように反った形状を有し、
前記翼は、前記翼根部の反り方向と前記外縁部の反り方向とが逆向きになるように形成される、
プロペラファン。
【請求項６】
前記翼面は、前記翼面のうちの前記連結部よりも前記半径方向内側の部分の食い違い角が、前記回転軸部に近づくにしたがって小さくなるように形成される、
請求項１から５のいずれかに記載のプロペラファン。
【請求項７】
前記連結部は、前記内側領域から前記外側領域に向かって湾曲するように設けられる、請求項１から６のいずれかに記載のプロペラファン。
【請求項８】
前記連結部は、前記内側領域から前記外側領域に向かって屈曲するように設けられる、請求項１から７のいずれかに記載のプロペラファン。
【請求項９】
請求項１から８のいずれかに記載のプロペラファンを備える、
流体送り装置。
【請求項１０】
請求項１から８のいずれか１項に記載のプロペラファンは、樹脂成形品からなり、
前記プロペラファンを成形するために用いられる、
成形用金型。